(57)【要約】      （修正有）【課題】主に浴室の天井等に設置して室内の換気を行う空調装置で、浴室換気中に使用者が入浴した場合に、コールドドラフトを感じにくい装置を提供する。【解決手段】浴室換気用ファンと他室換気用ファンと、浴室換気用ファンと他室換気用ファンを共用駆動するモータと浴室内の室温を検出する温度検出部と、浴室使用検出手段と制御部を有する浴室空調装置において、温度基準レベルに対応するモータ回転数テーブルを有するとともに、浴室使用検出手段の出力に応じて、モータに対して回転数テーブルの回転数を設定する。入浴前の浴室温度により浴室換気風量を変えるので、使用者が寒い思いをせずに入浴できる。【選択図】  図１
2004163080.tif 000002
【特許請求の範囲】
【請求項１】
浴室内の空気を吸いこみ屋外へ排出する浴室換気用ファンと、浴室以外の居室の空気を吸いこみ屋外へ排出する他室換気用ファンと、前記浴室換気用ファンと前記他室換気用ファンを共用駆動するモータとから成る、浴室空調装置に内蔵した浴室内の室温を検出する温度検出部と、所定時間以上継続した温度検出部の出力値を温度基準レベルとして設定し、前記温度基準レベルに対し温度検出部の出力値が所定値以上大きい場合が所定時間継続すると浴室使用中と判断する浴室使用検出手段と、前記温度検出部と前記浴室使用検出手段と前記モータを制御する制御部を有する浴室空調装置において、前記制御部は、前記温度基準レベルに対応する前記モータ回転数テーブルを有するとともに、前記浴室使用検出手段の出力に応じて、前記モータに対して回転数テーブルの回転数を設定することを特徴とする浴室空調装置。
【請求項２】
請求項１記載の浴室空調装置において、前記制御部は、所定の時間を計時する計時部を有するとともに、前記浴室使用検知部の情報に基づき、浴室換気風量を一時的に変更する制御部を備えた浴室空調装置において、制御部は入浴中換気風量から通常の浴室換気風量値へ復帰指示後、所定時間を置いた後復帰開始することを特徴とする浴室空調装置。
【請求項３】
請求項１記載の浴室空調装置において、前記浴室換気用ファンの下流に浴室からの換気を遮蔽する浴室用排気ダンパを備え、前記制御部は前記浴室用排気ダンパを閉じて、かつ前記他室換気用ファンの換気風量を、浴室からの換気風量分だけ大きくして運転することを特徴とする浴室空調装置。
【発明の詳細な説明】
【０００１】
【発明の属する技術分野】
本発明は、主に浴室の天井等に設置して、室内の換気を行う浴室空調装置に関する。
【０００２】
【従来の技術】
従来、浴室空調装置としては、主に浴室の天井に設置されて、１基のモータで、浴室内の空気と、他室内の空気を排気するが一般的に知られている（例えば、特許文献１参照。）。
図３は、従来の浴室換気風量の切替に係るブロック構成図である。
図３に示すように、浴室使用検出手段は、洗面所に設置された浴室照明スイッチであり、使用者が、浴室へ入室する前に浴室照明スイッチを点灯させることにより、装置本体は使用者の入室を検知する。この情報に基づき、浴室換気風量は入浴中換気風量へ一時的に切替る。この場合入浴中換気風量は固定値であり、入浴者の個人差や、周囲温度の状況は考慮されていない。
また、従来図８の浴室空調装置を浴室の天井に設置した断面図に示すように、他室用排気ダンパ５１を閉じることにより、他室換気をせずに、入浴中換気をする構造とするもものがあった。
【０００３】
【特許文献１】
特開２０００−１６１７５１号公報
【０００４】
【発明が解決しようとする課題】
しかしながら、従来の浴室空調装置では、浴室の照明スイッチに連動して換気風量を一時的に切替る方法があったが、昼間などの浴室照明を使用せずに入浴する場合などは、コールドドラフトを少なくすることは困難であった。
また、入浴する季節や時間帯が異なれば浴室の温度も違うので、一定量の換気風量では同一の使用者でも寒じたり、また、夏場においては、換気風量を低下させないまま入浴した方が、心地良いので換気風量を低くすることが適正とは言い難い場合があった。
【０００５】
本発明は、上記の課題を解決するためになされたもので、本発明の目的は、このように浴室換気中に浴室へ入室した使用者が、コールドドラフトを感じずに入浴できる浴室空調装置を提供することにある。
【０００６】
【課題を解決するための部及びその作用・効果】
本発明は、浴室内の空気を吸いこみ屋外へ排出する浴室換気用ファンと、浴室以外の居室の空気を吸いこみ屋外へ排出する他室換気用ファンと、前記浴室換気用ファンと前記他室換気用ファンを共用駆動するモータとから成る、浴室空調装置に内蔵した浴室内の室温を検出する温度検出部と、所定時間以上継続した温度検出部の出力値を温度基準レベルとして設定し、前記温度基準レベルに対し温度検出部の出力値が所定値以上大きい場合が所定時間継続すると浴室使用中と判断する浴室使用検出手段と、前記温度検出部と前記浴室使用検出手段と前記モータを制御する制御部を有する浴室空調装置において、前記制御部は、前記温度基準レベルに対応する前記モータ回転数テーブルを有するとともに、前記浴室使用検出手段の出力に応じて、前記モータに対して回転数テーブルに応じた回転数を設定することとした。
この構成によれば、浴室の温度に着目したので、入浴する場合に使用する、湯はりやシャワーなどによる浴室温度の急変を、浴室換気用の温度検出部の出力変化でもって浴室使用と検出する。
また、温度検出部の浴室温度を検出することによって、季節の違いや昼夜の違いを推定することが可能なので、周囲温度に合わせた最適な換気風量を設定することが可能になる。
【０００７】
また、制御部は、所定の時間を計時する計時部を有するとともに、前記浴室使用検知部の情報に基づき、浴室換気風量を一時的に変更する制御部を備えた浴室空調装置において、制御部は入浴中換気風量から通常の浴室換気風量値へ復帰指示後、所定時間を置いた後復帰開始することを特徴とする。
この構成によれば、家族が連続して入浴する場合、前の使用者が浴室を出て直ちに元の設定の浴室換気風量に戻って、浴室の温度が下げてしまうことが無いので、浴室を暖かいまま次の使用者は使用できる。
また、前記浴室換気用ファンの下流に浴室からの換気を遮蔽する浴室用排気ダンパを備え、前記制御部は前記浴室用排気ダンパを閉じて、かつ前記他室換気用ファンの換気風量を、浴室からの換気風量分だけ大きくして運転することを特徴とする浴室空調装置。
この構成によれば、使用者が入室する前の居室全体の換気風量を、使用者が浴室に入室した後も、同一の換気風量を他室換気用ファンを用いて換気できる。
【０００８】
【発明の実施の形態】
以下に、本発明の実施の形態を添付図面により詳細に説明する。
図１は、本発明の一実施形態に係る浴室空調装置を浴室の天井に設置した例を示す断面図である。
図１に示すように、本発明の装置は、浴室Ａの天井Ｄの開口部に挿入して取付設置された装置本体１５と、浴室Ａに臨んだ装置本体１５に取付られる化粧パネル１６からなる。装置本体１５の内部は、排気風路隔壁１２により、循環用風路１７及び浴室排気用風路６と、他室排気用風路７に分離されている。循環用風路１７は破線矢印で示すように浴室Ａ内の空気を吸いこみ再度浴室Ａ内へ送り込む風路であり、浴室排気用風路６は浴室Ａ内の空気を吸いこみ、排気ダクト用接続口１０へ排出する風路である。他室排気用風路７は他室Ｂ内の空気を吸いこみ、他室吸気ダクト９と、他室吸気ダクト用接続口８と通して、排気ダクト用接続口１０へ排出する風路である。排気ダクト用接続口１０で合流した、浴室排気用風路６からの排気と、他室排気用風路７からの排気は、排気ダクト１１を通して、屋外Ｃへ排気される。
【０００９】
循環用風路１７および／または浴室排気用風路６へ風を送る浴室換気用ファン１と、他室排気用風路７へ風を送る他室換気用ファン２は、モータ３によって駆動される。循環用風路１７と浴室排気用風路６の切替は、切替ダンパ１４によって行われる。循環用風路１７には、加熱部１３を備えており、浴室Ａへ加熱した空気を送り込む。浴室排気用風路６には、浴室の使用状態を検知する浴室使用検知部４を備える。浴室使用検知部４は、浴室の温度を検知する温度検出部の例である。
なお、洗面所からの吸気については、浴室排気用風路６または他室排気用風路７と共通にする構成も、もちろん良いものである。
【００１０】
図２は、本発明の一実施形態に係るブロック構成図である。
図２に示すように、装置本体１５内部の制御部５は、モータ３と、浴室使用検出手段４と、記憶部２１と、加熱部１３と、切替ダンパ１４を制御する。また制御部５は、装置本体１５へ運転指示を行う操作部２３であるリモコン内部のリモコン用制御部２４と、通信線２２を介して連通する。リモコン用制御部２４は、使用者が操作する運転の意志を受ける操作部２５からの信号を受け取り、運転の状態を表示部２６へ表示する。
浴室空調装置の運転指示を行う操作部により設定変更するため、高所に設置された浴室空調装置には触れず、低所に設置されたリモコンを操作して、入浴中換気風量の設定変更を容易にできる。
【００１１】
ここで、本浴室空調装置の動作について簡単に説明をおこなう。
使用者が入浴していない状態では、モータ３の駆動による浴室換気用ファン１と、他室換気用ファン２により、浴室Ａと他室Ｂから吸気した居室全体の空気を屋外Ｃへ排気している。この状態における浴室Ａからの浴室換気風量のまま、使用者が入浴をはじめると、浴室ドア（図示せず）のガラリから吸気する居室の空気が、使用者へあたりコールドドラフトと呼ばれる寒い感覚になる。そこで、浴室の温度に着目して、入浴する場合に使用する、湯はりやシャワーなどによる浴室温度の急変を、浴室換気用の温度検出部の出力変化でもって、浴室使用検知部４は使用者が浴室へ入って入浴をはじめたことを検知する。
図３は、本発明の一実施形態に係る浴室温度とモータ回転数のグラフである。
図３に示すように、浴室温度に応じたモータ回転数を定義する。制御部の内部にはこのグラフに示す回転数テーブルを備えて、浴室使用検出手段の出力に応じて、モータに対して回転数テーブルの回転数を設定する。
このように、設定変更は、常時監視した前記温度検出部の温度情報に基づき、低温ならば入浴中換気風量を少なめに、また高温ならば入浴中換気風量を多めとする。
この構成によれば、冬場や寒い深夜であれば浴室ドアのガラリからの吸気量を少なく制御するのでコールドドラフトをより感じにくいし、夏場や暑い昼間であれば浴室ドアのガラリからの吸気量を多く制御するので入浴中に暑い思いをしなくて良い。これらの設定変更を手動ではなく、温度検出部の情報に基づき自動で行うので、使用者は設定する煩雑さから解放されて、使い勝手が良い。
また記憶部２１は、制御部５にある設定変更された入浴中換気風量を記憶する永久記憶素子である。不意に電源が遮断された場合においても、その設定値を失うことなく、次回も快適な入浴中の換気が出来る。
【００１２】
なお、使用者の個人差や、周囲温度の変化により、コールドドラフトを感じることがある。そこで、入浴中換気風量を使用者のお好みに合わせた設定が出来ると良い。洗面所の壁に設置した操作部２３は、使用者の手が容易に届く低所にあるので、入浴中換気風量の設定値を変更するのに便利である。操作部２３の操作部２５を操作しながら、表示部２６にて確認しつつ、お好みの入浴中換気風量に設定する。冬場や深夜などの周囲温度が低い場合は、入浴中換気風量を少な目に設定するし、夏場や昼間などの周囲温度が高い場合は、入浴中換気風量を多めに設定する。操作部２３にて設定された入浴中換気風量は、通信線２２を介して制御部５へ与えられ、その情報に基づき、モータ３の回転数は少な目、または多めに制御されて、入浴中換気風量は使用者の希望どおりとなる。
【００１３】
図４は、本発明の一実施形態に係るタイミングチャートである。
図４に示すように、温度検出部３１は浴室Ａ内の温度を検出するサーミスタであるが、浴室使用検知部４のひとつとして使用できる。サーミスタは浴室内の温度を常時監視して、使用者が浴室へ入り入浴をはじめると、浴室内の空気温度が上昇する。サーミスタが時間ΔＴ１の間に温度がΔｔ１以上の上昇変化を検出したら、制御部５は使用者の入室と判断する。また、サーミスタが時間ΔＴ２の間に温度がΔｔ２以上の上昇変化を検出したら、制御部５は使用者の退室と判断する。浴室使用検知の判定結果３２に、制御部５の判定結果を示す。浴室換気風量の動き３３は、浴室使用検知の判定結果３２と、入室を検知する前の温度が閾値温度３４により、制御部５で決定される。制御部５は閾値温度３４を１５℃にして持っており、もし入浴前の温度が５℃であれば、入浴中換気風量を少な目に自動で設定変更して、モータ３の回転数を小さくする。これにより冬場や深夜の入浴ではコールドドラフトを感じにくく、快適な入浴ができるようになる。
【００１４】
図５は、本発明の一実施形態に係るタイミングチャートである。
図５では、制御部５は閾値温度３４を１５℃にして持っており、もし入浴前の温度が２５℃であれば、入浴中換気風量を多めに自動で設定変更して、モータ３の回転数を大きくする。これにより夏場や昼間の入浴では、もともとコールドドラフトを感じにくいので、清涼感のある快適な入浴ができるようになる。
【００１５】
図６は、本発明の一実施形態に係るタイミングチャートである。
図６に示すように、温度検出部３１のサーミスタが時間ΔＴ２の間に温度がΔｔ２以上の上昇変化を検出したら、制御部５は使用者の退室と判断する。浴室換気風量の動き３３は、浴室使用検知の判定結果３２の退室から所定時間ΔＴ３をおいて、少な目の入浴中換気風量を浴室換気風量へ戻す。ΔＴ３の時間以内に次の使用者が入室しない場合は、浴室換気風量での入浴から開始される。
その下のチャートには、所定時間ΔＴ４の例を示す。制御部５は、制御時間をΔＴ３からΔＴ４へ設定変更できるので、前回の使用者の退室から、次回の使用者の入室までに時間が空く場合においても、入浴中換気風量のまま入浴を開始できる。これによって、暖かいままの浴室へ快適な入浴ができるようになる。
また記憶部２１は、制御部５にある設定変更された所定時間を記憶する永久記憶素子であるので、不意に電源が遮断された場合においても、その設定値を失うことなく、次回も快適な入浴中の換気が出来る。
【００１６】
図７は、本発明の別の一実施形態に係る浴室空調装置を浴室の天井に設置した例を示す断面図である。
本発明の装置は、図１に対して、切替ダンパ１４が、浴室排気用風路６を閉ざした、暖房運転または浴室空調装置が待機の状態である。
図１０は、本発明の一実施形態に係るタイミングチャートである。
図４に対して、浴室換気風量の動き３３と、他室換気風量の動き５７を示す。浴室に使用者がいない場合は、切替ダンパ１４を図１に示す状態にして、浴室換気用ファン１による換気風量Ｑ１と、他室換気用ファン２による換気風量Ｑ２の総和で、居室の常時換気を行う。ここで使用者が浴室へ入室したら、切替ダンパ１４を図７に示す状態にして、浴室換気用ファン１による排気を止める。そして、他室換気用ファン２は換気風量Ｑ１＋Ｑ２を出力させる。これにより、使用者が入室する前と同じだけの換気風量を確保する。使用者の退室を検知したら、両者の換気風量を元の状態に戻して、浴室と他室からの換気を行う。これにより入浴中でも、居室の換気風量を確保できるようになる。
【図面の簡単な説明】
【図１】本発明の一実施形態に係る浴室空調装置を浴室の天井に設置した例を示す断面図
【図２】本発明の一実施形態に係るブロック構成図
【図３】本発明の一実施形態に係る浴室温度とモータ回転数のグラフ
【図４】本発明の一実施形態に係るタイミングチャート
【図５】本発明の一実施形態に係るタイミングチャート
【図６】本発明の一実施形態に係るタイミングチャート
【図７】本発明の別の一実施形態に係る浴室空調装置を浴室の天井に設置した例を示す断面図
【図８】従来の一実施形態に係る浴室空調装置を浴室の天井に設置した例を示す断面図
【図９】従来の一実施形態に係るブロック構成図
【図１０】本発明の一実施形態に係るタイミングチャート
【符号の説明】
Ａ…浴室
Ｂ…他室へ
Ｃ…屋外へ
Ｄ…天井
Ｅ…洗面所へ
１…浴室換気用ファン
２…他室換気用ファン
３…モータ
４…浴室使用検知部
５…制御部
６…浴室排気用風路
７…他室排気用風路
８…他室吸気ダクト用接続口
９…他室吸気ダクト
１０…排気ダクト用接続口
１１…排気ダクト
１２…排気風路隔壁
１３…加熱部
１４…切替ダンパ
１５…装置本体
１６…化粧パネル
１７…循環用風路
２１…記憶部
２２…通信線
２３…操作部
２４…リモコン用制御部
２５…操作部
２６…表示部
３１…温度検出部
３２…浴室使用検知の判定結果
３３…浴室換気風量の動き
３４…閾値温度
５１…他室用排気ダンパ
５７…他室換気風量の動き
【図１】
2004163080.tif 000003
【図２】
2004163080.tif 000004
【図３】
2004163080.tif 000005
【図４】
2004163080.tif 000006
【図５】
2004163080.tif 000007
【図６】
2004163080.tif 000008
【図７】
2004163080.tif 000009
【図８】
2004163080.tif 000010
【図９】
2004163080.tif 000011
【図１０】
2004163080.tif 000012